(57)【要約】【課題】本発明は少なくとも一つの方向指示図を有するゴルフクラブを提供する。【解決手段】本発明によるゴルフクラブは、ゴルフクラブが望ましい方向に配向されるときにのみ可視でありその他の望ましくない方向においては不可視である少なくとも一つの方向指示図を含む。【選択図】図１
2011056264.tif 000002
【特許請求の範囲】
【請求項１】
ゴルフクラブの基端にグリップ、
前記ゴルフクラブの先端にヘッド、及び
前記グリップと前記ヘッドとの間に連結されたシャフトを含み、
前記シャフトは、望ましい角度からのみ可視であり望ましくない角度から不可視である少なくとも一つの方向指示図を含む、ゴルフクラブ。
【請求項２】
前記望ましい角度は前記シャフトに対して実質的垂直である、請求項１のゴルフクラブ。
【請求項３】
前記望ましい角度は前記シャフトに対する実質的垂直から約２０°の範囲内である、請求項２のゴルフクラブ。
【請求項４】
少なくとも一つの前記方向指示図は、
前記方向指示図の外部に凸状外面を有する複数の凸状レンズ、及び
複数の前記凸状レンズの内面に取り付けられた下に横たわる図形パネルを含み、
前記凸状レンズの前記凸状外面は前記下に横たわる図形パネルが可視であるか否かを決定する、請求項４のゴルフクラブ。
【請求項５】
前記凸状レンズの前記凸状外面は、前記望ましい角度から観察されるときに観察者の視線を変化させない、請求項４のゴルフクラブ。
【請求項６】
前記凸状レンズの前記凸状外面は、前記シャフトに実質的垂直でない望ましくない角度から観察されているときに観察者の視線を変化させる、請求項５のゴルフクラブ。
【請求項７】
前記方向指示図は、前記シャフトを包囲する透明流体室、
前記透明流体室内の不透明流体、及び
前記透明流体室の内面に取り付けられた下に横たわる方向指示図を含み、
前記透明流体室内の前記不透明流体の位置は前記下に横たわる図形パネルが可視であるか否かを決定する、請求項３のゴルフクラブ。
【請求項８】
前記不透明流体は、前記シャフトに対して実質的垂直でない望ましくない角度から観察されるときに前記下に横たわる図形パネル上を覆う、請求項７のゴルフクラブ。
【請求項９】
前記不透明流体は、前記望ましくない角度から観察されるときに前記下に横たわる図形パネルから移動して離れる、請求項８のゴルフクラブ。
【請求項１０】
前記方向指示図は、
前記シャフトを包囲する透明流体室、
前記透明流体室内の透明流体、
前記透明流体室の内面に取り付けられた下に横たわる方向指示図、及び
可視位置と不可視位置間で前記透明流体室内を流れる前記透明流体内のスリーブを含む、請求項３のゴルフクラブ。
【請求項１１】
前記不可視位置は、前記シャフトに対して実質的垂直でない望ましくない角度から観察されるときに前記スリーブが前記下に横たわる図形パネル上を移動して完全に覆うときに達成される、請求項１０のゴルフクラブ。
【請求項１２】
前記可視位置は、前記シャフトに対して実質的垂直である望ましい角度から観察されるときに前記スリーブが前記下に横たわる図形パネルから離れて前記下に横たわる図形パネルを完全に露出させるときに達成される、請求項１１のゴルフクラブ。
【請求項１３】
前記ゴルフクラブは、前記望ましい角度に基づいて前記方向指示図の可視性を決定する加速度計を更に含む、請求項３のゴルフクラブ。
【請求項１４】
ゴルフクラブの基端にグリップ、
前記ゴルフクラブの先端にヘッド、及び
前記グリップと前記ヘッドとの間に連結されたシャフトを含み、
前記ヘッドは、望ましい角度から可視であり望ましくない角度から不可視である少なくとも一つの方向指示図を含む、ゴルフクラブ。
【請求項１５】
前記ヘッドは、
前記ヘッドのアフト部近くに前記ヘッドの意図された通路の方向に対して垂直の打撃フェイス、
前記ヘッドのトップ部近くで打撃フェイスから後方に延びたクラウン、及び
前記ヘッドのボトム部近くで前記打撃フェイスから後方に延びたソールを含み、
前記方向指示図の少なくとも一部はクラウン上に設けられている、請求項１４のゴルフクラブ。
【請求項１６】
前記望ましくない角度は前記意図された通路の方向と一直線になるときに達成される、請求項１のゴルフクラブ。
【請求項１７】
前記方向指示図は、
前記方向指示図の外部に凸状外面を有する複数の凸状レンズ、及び
複数の前記凸状レンズの内面に取り付けられた下に横たわる図形パネルを含み、
前記凸状レンズの前記凸状外面は前記下に横たわる図形パネルが可視であるか否かを決定する、請求項１６のゴルフクラブ。
【請求項１８】
前記ゴルフクラブは、前記望ましい角度に基づいて前記方向指示図の可視性を電子的に決定する加速度計を更に含む、請求項１６のゴルフクラブ。
【請求項１９】
ゴルフクラブの基端にグリップ、
前記ゴルフクラブの先端にヘッド、及び
前記グリップと前記ヘッドとの間に連結されたシャフトを含むゴルフクラブであって、
前記ゴルフクラブは、望ましい角度からのみ可視であり望ましくない角度から不可視である少なくとも一つの方向指示図を更に含み、かつ
前記方向指示図は、前記方向指示図の外部に凸状外面を有する複数の凸状レンズ、及び複数の前記凸状レンズの内面に取り付けられた下に横たわる図形パネルを含み、前記凸状レンズの前記凸状外面は前記下に横たわる図形パネルが可視であるか否かを決定する、ゴルフクラブ。
【請求項２０】
前記望ましい角度は前記方向指示図に対して実質的垂直である、請求項１９のゴルフクラブ。
【発明の詳細な説明】
【技術分野】
【０００１】
本発明は、概ね、指向性図形（directional based graphics)、換言すれば方向指示図を設けたゴルフクラブに関する。更に具体的には、本発明は、ゴルフクラブを好適方向へ向けたときにのみ視認でき、他方で他の望ましくない方向では全く視認できない、少なくとも一方向をベースにした指向性図形を有するゴルフクラブに関する。更に詳細には、本発明は、指向性図形、即ち、方向指示図がゴルフクラブのシャフト、ゴルフクラブのクラウン、ホーゼルまたはフェルールに付与され、ゴルフクラブが特別望ましい方向に配向されたときにのみ視認できる図形を提供するゴルフクラブに関する。
【背景技術】
【０００２】
ゴルフクラブのデザインは、ゴルフのゲーム創始以来非常に進化している。想像し難いかもしれないが、ゴルフのゲームは木製ドライバ、そしてクリーク、マシー、ニブリック等の名前で呼ばれる粗製アイアンクラブと共に始まった。それ以来、ゴルフクラブの技術は４６０立方センチ（ＣＣ）の特大ドライバ、多材料キャビティバックアイアン、そして調整可能加重パターにまで発展した。
【０００３】
ゴルフゲームは、技術と伝統との間の正確なバランスを打撃するために争ってきたが、ゴルフ用品産業における技術的進歩は何の問題もなくゴルフのゲームがプレイされる方法を変化させた。パタータイプのゴルフクラブは進化し、種々のウエイトまたは整合技術を含み、更に一層一貫したパッティングスイングを可能にする。ウエッジタイプのゴルフクラブは進化し種々の溝形状を含み、ウエッジ表面から一層多くの水及び土石を踏みつけることによりバックスピンを良好にする。アイアンタイプのゴルフクラブは進化し、大きな寛容性と高度な軌道のために中空キャビティを含む、種々の異なる形状を有する異なる材料からの形成を可能にしている。最後に、異論のあるとこであるが、ドライバタイプのゴルフクラブは、ヘッドの体積を指数関数的に拡大し、ドライバヘッドそれ自体に異なる材料を組み合わせて利用し、ドライバヘッドの低重心化を図り、かつドライバヘッドとそのシャフト間の連結を調整する新方法を採用して多配向を達成できるドライバを創出する等の技術の進歩により技術的ストライドを最大にしている。
【０００４】
技術的進歩によって、ゴルフクラブと意図するターゲットラインとの一致は、ゴルフゲームの最も重要な側面の一つである。このニーズに応えて、ゴルフクラブは、ゴルファがゴルフクラブと意図したターゲットとを適正に一致させるのを補助する種々の照準補助器を含むものが製造されている。例えば、Barrによる名称「ゴルフパター」に関するＵＳ特許第３９８９２５７号（特許'２５７）はフロントドライビングフェイスを有するパターヘッドを備えたゴルフパター装置を開示し、フロントドライビングフェイスは凸状、水平、及び垂直カーブを有しその各々が略楕円形であり、おおよそ正確に表示されたストライクポイントに合わせてパターヘッドのフロントドライビングフェイス上にゴルフボールを打撃することがゴルファのウエストの微動を補償する。
【０００５】
照準補助器は、Nagyによる名称「カスタマイズ照準角とウエイト装置を具備したゴルフクラブ(Sic)」に関するＵＳ特許第７１８６１８５号（特許'１８５）に記載のドライバタイプのゴルフクラブ使用されている。特許'１８５は、概ねゴルフクラブのカスタマイズできる照準角装置に関し、照準角装置は、使用者の視線とクラブヘッドとの所望一致のために視認できるターゲット表示装置を使用者に提供する照準調整素をゴルフクラブのヘッドの上面に取り付けている。一致しない場合に、照準調整要素は不一致の大きさ及び方向を表示する。
【０００６】
ゴルフクラブのクラウンまたは上部上に照準マークを付与する幾つかの試みに加えて、他の一般的でない位置決めがかかる照準マークを設けるために利用されている。Meyerによる名称「照準装置を含むゴルフクラブ」に関するＵＳ特許第５２２８６９５号（特許'６９５）は、かかる照準装置をシャフトの軸上に設け、かつゴルフクラブのフェイスが適正に整合するときを表示する照準装置を有するゴルフクラブを開示する。照準装置は、線形光学（linearoptic)スクリーンまたはレンズ状ステッカを含み、フェイスが整合するときに表示するスクリーンの上面下に現れる線等の三次元表示装置を提供する。
【０００７】
ゴルフクラブをターゲットに整合させるこれらの試みは、ゴルフクラブが整合するときに表示する点で良好な作用をするが、ゴルファの視界を邪魔しかつ実際のショットの実行の邪魔をする。ゴルファが一旦ゴルフクラブの適正照準を確認した後に、ゴルファの焦点はゴルフスイングをするためにシフトする。ゴルファがゴルフスイング時に集中力の邪魔になる照準装置により気が散るのは望ましくない。従って、ゴルファが照準を合わせるときにのみ表れかつ適正照準に達したときには消失する照準装置を含むゴルフクラブが理想的である。
【０００８】
更に、ドライバタイプのゴルフクラブヘッドにおける調整自在ホーゼルの技術的進歩は、ゴルファがゴルフのショットを実行しようとするときにゴルファに付加的妨害を加える。更に具体的には、ゴルフクラブのシャフトが単一配向で組立てるように設計されている場合に、ゴルフクラブのシャフトの図形（graphics）はゴルファから離れる方向に対面するシャフトのボトム部上に設けられ、そのためにゴルファはアドレス位置でゴルフクラブを見るときにシャフトの図形を見ない。ゴルフクラブのシャフトの図形がゴルファの視線から離れる方向を向いている場合、ゴルフクラブのシャフトは更に必要とされる美的外観をシャフトに付与するが、ゴルファがゴルフショットを実行するときにゴルファの気を散らさない。しかし、ゴルフクラブが、異なる挙動特性を達成するためにゴルフクラブのシャフトを回転させる調整自在ホーゼルを含む場合、ゴルフクラブのシャフト上の図形の配向がシャフトに対してゴルフクラブと共に回転し、その結果としてゴルフクラブのシャフトの図形はゴルファがゴルフのショットを実行しようとするときに有望なゴルファに対して変な配向になり、シャフトの図形はゴルファの気を散らす。
【０００９】
上記説明から理解されるように、ゴルフクラブの適正整合を確実にするのを助けるために使用できる方向指示図を有するゴルフクラブに対するニーズが当分野にある。更に、所望方向にのみ表れかつ他の方向では完全に不可視であってスイング中のゴルファの邪魔にならないシャフト上に方向指示図を有するゴルフクラブに対するニーズが当分野にある。更に具体的には、方向指示図は好適方向から見るときにのみ視認可能であるが望ましくない方向から完全に不可視である。結果的に、照準目的に使用でき、シャフト上のグラフィックディスプレイを提供する目的に役立ち、同時に望ましくない配向では不可視である方向指示図を有するゴルフクラブに対するニーズが当分野に存在する。
【先行技術文献】
【特許文献】
【００１０】
【特許文献１】ＵＳ特許第３９８９２５７号
【特許文献２】ＵＳ特許第７１８６１８５号
【特許文献３】ＵＳ特許第５２２８６９５号
【特許文献４】ＵＳ特許第３５３８６３２号
【特許文献５】ＵＳ特許第３５８２３２９号
【特許文献６】ＵＳ特許第２８３３１７６号
【特許文献７】ＵＳ特許第２２６４１９４号
【特許文献８】ＵＳ特許第４０３７３４３４号
【発明の概要】
【発明が解決しようとする課題】
【００１１】
従って、本発明は上記ニーズに応える方向指示図を有するゴルフクラブを提供することにある。
【課題を解決するための手段】
【００１２】
上記課題を解決するための本発明によるゴルフクラブは、一側面において、ゴルフクラブの基端にグリップ、前記ゴルフクラブの先端にヘッド、及び前記グリップと前記ヘッドとの間に連結されたシャフトを含み、前記シャフトは、望ましい角度からのみ可視であり望ましくない角度から不可視である少なくとも一つの方向指示図を含むことを特徴とする。
【００１３】
好適形態によれば、前記望ましい角度は前記シャフトに対して実質的垂直であるが、前記望ましい角度は前記シャフトに対する実質的垂直から約２０°の範囲内であってよい。
【００１４】
好適形態によれば、少なくとも一つの前記方向指示図は、前記方向指示図の外部に凸状外面を有する複数の凸状レンズ、及び複数の前記凸状レンズの内面に取り付けられた下に横たわる図形パネルを含み、前記凸状レンズの前記凸状外面は前記下に横たわる図形パネルが可視であるか否かを決定する。
【００１５】
好適形態によれば、前記凸状レンズの前記凸状外面は、前記望ましい角度から観察されるときに観察者の視線を変化させないが、前記凸状レンズの前記凸状外面は、前記シャフトに実質的垂直でない望ましくない角度から観察されているときに観察者の視線を変化させる。
【００１６】
好適形態によれば、前記方向指示図は、前記シャフトを包囲する透明流体室、前記透明流体室内の不透明流体、及び前記透明流体室の内面に取り付けられた下に横たわる方向指示図を含み、前記透明流体室内の前記不透明流体の位置は前記下に横たわる図形パネルが可視であるか否かを決定する。
【００１７】
好適形態によれば、前記不透明流体は、前記シャフトに対して実質的垂直でない望ましくない角度から観察されるときに前記下に横たわる図形パネル上を覆う。他方、前記不透明流体は、前記望ましくない角度から観察されるときに前記下に横たわる図形パネルから移動して離れる。
【００１８】
好適形態によれば、前記方向指示図は、前記シャフトを包囲する透明流体室、前記透明流体室内の透明流体、前記透明流体室の内面に取り付けられた下に横たわる方向指示図、及び可視位置と不可視位置間で前記透明流体室内を流れる前記透明流体内のスリーブを含む。
【００１９】
好適形態によれば、前記不可視位置は、前記シャフトに対して実質的垂直でない望ましくない角度から観察されるときに前記スリーブが前記下に横たわる図形パネル上を移動して完全に覆うときに達成される。
【００２０】
好適形態によれば、前記可視位置は、前記シャフトに対して実質的垂直である望ましい角度から観察されるときに前記スリーブが前記下に横たわる図形パネルから離れて前記下に横たわる図形パネルを完全に露出させるときに達成される。
【００２１】
好適形態によれば、前記ゴルフクラブは、前記望ましい角度に基づいて前記方向指示図の可視性を決定する加速度計を更に含む。
【００２２】
他の側面において、本発明によるゴルフクラブは、基端にグリップ、前記ゴルフクラブの先端にヘッド、及び前記グリップと前記ヘッドとの間に連結されたシャフトを含み、  前記ヘッドは、望ましい角度から可視であり望ましくない角度から不可視である少なくとも一つの方向指示図を含む、ことを特徴とする。
【００２３】
本発明の他の側面におけるゴルフクラブの好適形態によれば、前記ヘッドは、前記ヘッドのアフト部近くに、前記ヘッドの意図された通路の方向に対して垂直の打撃フェイス、前記ヘッドのトップ部近くで打撃フェイスから後方に延びたクラウン、及び前記ヘッドのボトム部近くで前記打撃フェイスから後方に延びたソールを含み、前記方向指示図の少なくとも一部はクラウン上に設けられている。
【００２４】
本発明の他の側面におけるゴルフクラブの好適形態によれば、前記望ましくない角度は前記意図された通路の方向と一直線であるときに達成される。
【００２５】
本発明の他の側面におけるゴルフクラブの好適形態によれば、前記方向指示図は、前記方向指示図の外部に凸状外面を有する複数の凸状レンズ、及び複数の前記凸状レンズの内面に取り付けられた下に横たわる図形パネルを含み、前記凸状レンズの前記凸状外面は前記下に横たわる図形パネルが可視であるか否かを決定する。
【００２６】
本発明の他の側面におけるゴルフクラブの好適形態によれば、前記ゴルフクラブは、前記望ましい角度に基づいて前記方向指示図の可視性を電子的に決定する加速度計を更に含む。
【００２７】
更に他の側面において、本発明によるゴルフクラブは、ゴルフクラブの基端にグリップ、前記ゴルフクラブの先端にヘッド、及び前記グリップと前記ヘッドとの間に連結されたシャフトを含み、前記ゴルフクラブは、望ましい角度からのみ可視であり望ましくない角度から不可視である少なくとも一つの方向指示図を更に含み、かつ前記方向指示図は、前記方向指示図の外部に凸状外面を有する複数の凸状レンズ、及び複数の前記凸状レンズの内面に取り付けられた下に横たわる図形パネルを含み、前記凸状レンズの前記凸状外面は前記下に横たわる図形パネルが可視であるか否かを決定する、ことを特徴とする。
【００２８】
更に他の側面における本発明のゴルフクラブの好適形態によれば、前記望ましい角度は前記方向指示図に対して実質的垂直である。
【図面の簡単な説明】
【００２９】
【図１】本発明の一実施形態によるゴルフクラブの予想図を示す。
【図２】本発明の一実施形態によるゴルフクラブの他の予想図を示す。
【図３】本発明の一実施形態によるゴルフクラブの他の予想図を示す。
【図４】本発明の一実施形態によるゴルフクラブのシャフトの拡大図を示す。
【図５Ａ】本発明の他の実施形態による方向指示図の拡大図を示す。
【図５Ｂ】本発明の他の実施形態による方向指示図の拡大図を示す。
【図５Ｃ】本発明の他の実施形態による方向指示図の拡大図を示す。
【図５Ｄ】本発明の他の実施形態による方向指示図の拡大図を示す。
【図６】本発明の他の実施形態によるゴルフクラブの予想図を示す。
【図７】本発明の他の実施形態によるゴルフクラブのヘッドの上面図を示す。
【図８】本発明の他の実施形態によるゴルフクラブのヘッドの他の上面図を示す。
【図９】本発明の他の実施形態によるゴルフクラブのヘッドの他の上面図を示す。
【図１０】本発明の他の実施形態によるゴルフクラブのホーゼルの拡大図を示す。
【図１１】本発明の他の実施形態によるアドレス位置におけるゴルフクラブの予想図を示す。
【発明を実施するための形態】
【００３０】
本発明の上述及び他の特徴及び利点を添付図面を参照して次に説明する。添付図面は本発明の原理を説明しかつ当業者が実施し使用するのに役立つ。
【００３１】
続く詳細な説明は、本発明を実施するために現時点で最良と考えられる形態に関し、本発明の限定を意味せず、単に全体的原理を解説することを目的とする。
【００３２】
以下に説明する種々の発明的特徴は、相互に独立に使用でき、また他の特徴と組み合わせて使用できる。しかしながら、いずれの単一の発明的特徴も上記問題に対処していない。更に、一つまたはそれ以上の上記問題は以下の特徴により完全には対処されない。
【００３３】
図１は、本発明の例示形態によるゴルフクラブ１００の予想図を示す。この例示形態において、理解されるように、ゴルフクラブ１００はゴルフクラブ１００の先端に設置されたヘッド１０２を有し、ゴルフクラブのヘッド１０２のクラウンから上方に伸長したホーゼルを有する。ヘッド１０２には、ホーゼルを覆って設置されたフェルール１０４を有するヘッド１０２のホーゼル部分から延在するシャフト１０６が連結されている。例示形態において、ゴルフクラブ１００のシャフト１０６はシャフトそれ自体の上に方向指示図(GRAPHIC)１１０を有し、この図形は、観察者の目１１４から派生する視線１１２がシャフト１０６に実質的に垂直となる所望角度からのみ見ることができる。ゴルファはシャフト１０６上の方向指示図１１０を概ね垂直配向から読むのでこの所望角度からのみ方向指示図１１０を視認できることが有利である。
【００３４】
シャフト１０６上の方向指示図１１０は、数字、文字、シンボル、装飾模様、またはゴルフクラブ１００の美観に加えられるロゴ等の種々の混合で構成されてよい。方向指示図１１０は、管状シャフト上で露出性と判読性を最大にするために、シャフト１０６の長手を概ね水平方向に横切り、シャフト１０６に対して実質的垂直位置になる両目から観察し易いようにする。方向指示図１１０はゴルファにメッセージを伝える重要な目的を有しかつ視覚的刺激剤として作用するが、方向指示図１１０は、ゴルファがゴルフショットを使用とするときにシャフト１０６上に目を落とすときに、潜在的にゴルファの集中力の邪魔になる。
【００３５】
かかる方向指示図１１０はゴルファの集中力を遮断しやすいので、本発明による方向指示図１１０は、観察者の目１１４がシャフト１０６に実質的垂直の角度から方向指示図１１０を観察するのをやめたときには消失して不可視になる。方向指示図１１０の消失を解説するために、図２は本発明の例示形態によるゴルフクラブ２００の例を示し、図２において図１に示された方向指示図１１０は観察者の目２１４が図１に示された実質的垂直方向から変位するときに不可視になる。図２に示された例示形態において、観察者の目２１４からの視線２１２がシャフト２０６と角度αを形成し、この角度はシャフト２０６に対して実質的垂直でない。更に具体的には、角度αは約８５°よりも小さく、更には約８０°よりも小さく、そして約７５°よりも小さいのが好ましい。選択的に、方向指示図１１０は、視線がシャフト２０６に対して垂直から約２０°、好適には約１０°、更に好適には約５°の角度β内にあるときにのみ観察できる構成であってよい。
【００３６】
観察者の目２１４は図２においてシャフト２０６に対して実質的垂直でないので、図１において実質的垂直角度から観察可能であった方向指示図１１０はもはや観察できず、ゴルファに悪影響を及ぼす邪魔な図形を伴わないシャフト２０６になる。
【００３７】
図３は、本発明の例示形態によるゴルフクラブ３００を示し、図３では観察者の目３１４はシャフト３０６をすぐ下にシャフト３０６と平行のアドレス位置からゴルフクラブ３００を見ている。図３から理解されるように、視線３１２はシャフト３０６に平行であり、視線３１２とシャフト３０６間の角度は約０°である。ゴルフクラブ３００がアドレス位置から観察されるときに、図１で観察された方向指示図１１０は、観察者の目３１４の視線３１２とシャフト３０６との間に形成される角度が約０°であることから、もはや観察できない。シャフトの方向指示図１１０は、概ね、ゴルフクラブ３００がアドレス位置にあるときに不可視であることが望ましい。このことはゴルファに対する方向指示図１１０の露出と妨害を最小限にする。
【００３８】
ゴルフクラブ上での方向指示図１１０の露呈と消失を達成するために、方向指示図１１０は一方向において可視であり他の方向において不可視である必要がある。図４は、本発明の例示形態のシャフトの拡大図を示し、図４では方向指示図４１０は更に複数の凸状レンズ４２０とその下の図形パネル４１１を含む。複数の凸状レンズ４２０は下の図形パネル４１１に組み合わされて、下の図形パネル４１１は方向指示図１１０の望ましい結果を達成する望ましい配向からのみ観察可能である。更に具体的には、図４は、シャフト４０６に実質的垂直の望ましい方向からのみ下に横たわる図形パネル４１１の観察を可能にする複数の凸状レンズを含むシャフト４０６上の方向指示図４１０の拡大側面図を示す。
【００３９】
ここでは、複数の凸状レンズ４２０は、一部でその湾曲面により、観察者の目４１４からの視線が複数の凸状レンズ４２０を直接的に通過し、下に横たわる図形パネル４１１を観察できるようにする。図形パネルは実質的垂直配向から観察されるときに観察できる。シャフト４０６に実質的垂直の角度からの観察でない場合には、複数の凸状レンズ４２０は観察者の目４１４からの視線４１２を屈折させ、下に横たわる図形パネル４１１から観察者の目４１４が離れ、観察者の目が下の図形パネル４１１を観察するのを阻止する。下の図形パネル４１１を被覆する凸状レンズ４２０のシャフト４０６上への利用は、例示形態における図形パネル４１１がシャフト４０６に対して実質的垂直である所望配向からのみ観察できるようにすると共に、観察者の目４１４がシャフト４０６に対して実質的に垂直でない望ましくない角度からシャフト４０６を観察するときには下の図形パネル４１の観察を阻止する。レンズ技術の特効性の詳細は、Andersonによる名称「レンズ装置及びその製造法」に関するＵＳ特許第３５３８６３２号、Ivanov他による名称「レンズ状スクリーン形成法」に関するＵＳ特許第３５８２３２９号、Ossoinakによる名称「スクリーンに対して移動する観察者に動的シーンを展示する装置」に関するＵＳ特許第２８３３１７６号から知見できる。これらの開示は、全体として本明細書に組み込まれる。
【００４０】
図５Ａ，５Ｂ，５Ｃは本発明の他の実施形態を示し、方向指示図１１０はシャフト５０６の配向に基づいて表れ消える。更に具体的には、本発明の他の実施形態においてシャフト５０６の方向指示図１１０の部分は、下に設置された図形パネル５１１上を覆う不透明流体５３０を充填した透明流体室５３１を備えたシャフト５０６を利用することにより表れ消える。不透明流体５３０は、図５Ａ，５Ｂ，５Ｃの例示形態に示されたように、配向変化の結果としての重力を利用することにより、概ね、透明流体室５３１の一側から他側へ流れてよい。図５Ａに示された一配向において、シャフト５０６は、観察者の目が実質的平行位置からシャフト５０６を観察することを可能にする一方向に配向される。この配向において、不透明流体５３０は、透明流体室５３１の浅い端に集まり、下に設置された図形パネル５１１を表示する。図５Ｃに示された他の配向において、シャフト５０６は、シャフト５０６と実質的平行でない他の位置からシャフト５０６を観察者の目が観察する結果としての一方向に配向される。図５Ｃが示すように、この配向下で、下に横たわる図形パネル５１１は、その図形パネル５１１を不可視にする不透明流体５３０により覆われる。最後に、図５Ｂに示された他の配向において、シャフト５０６は、図５Ａの観察者の目に実質的平行の位相と図５Ｃの観察者の目に実質的平行でない位相との間の中間移行位相にある。図５Ｂに示された中間移行位相において、理解できるように、下に横たわる図形パネル５１１は不透明流体５３０により一部遮断され、本発明のこの実施形態下で下に横たわる図形パネル５１１の表出と消失の背後にあるコンセプトを示す。
【００４１】
図５Ｄは本発明の他の実施形態を示し、ここでは透明流体室５３１は不透明流体５３０の代わりに透明流体が充填されるが、透明流体室５３１を出たり入ったり移動して下に横たわる図形パネル５１１上を覆う。この実施形態において、透明流体は透明流体室５３１の全体に充填されてよく、かつ着色透明であってよく、スリーブ５３２が下にある図形パネル５１１から離れる方向へ移動するときに図形パネル５１１はまだ見ることができる。透明流体は、シャフト５０６の異なる配向によりシャフト５０６の透明流体室５３１内でスリーブ５３２の移動を案内するために、概ね、使用できる。一配向において、シャフト５０６は水平配向における観察者の目に対して実質的垂直に位置決めされたときに、概ね重力がスリーブを付勢して下に横たわる図形パネル５１１から離れ、図形パネル５１１を可視にする。選択的に、そのシャフトが観察者の目に対して実質的垂直の位置でなく鉛直配向であるときに他の配向において、重力がスリーブ５３２を下に横たわる図形パネル５１１の上方へ移動させ、下に横たわる図形パネル５１１を隠匿する。スリーブ５３２を透明流体と組み合わせて使用することは概ね有利である。その理由はこの実施形態は透明流体室５３１全体を流体で充填し、一部充填された透明流体室５３１から結果的に液体が音を立てるのを防止するからである。流体５３０及びスリーブ５３２を下に横たわる図形パネル５１１の表示を制御するために利用することに関する更に詳細な説明は、Wuestmanによる名称「広告鉛筆、ペン等」に関するＵＳ特許第２２６４１９４号、及びLonsminによる名称「個人名を出没させる新規筆記具」に関するＵＳ特許第４０３７３４３４号に開示されており、その全内容が本明細書に組み込まれる。
【００４２】
図６は本発明の他の実施形態を示し、ゴルフクラブ６００は加速度計６５０を利用し、シャフト６０６の配向を決定し、順次方向指示図６１０の可視性を決定する。加速度計６５０は、方向量として加速度の大きさと方向を検出するために、自由落下に対して経験した加速度を測定する。この方向量は、この実施形態における方向指示図６１０の可視性を決定するために、加速度計６５０の配向、振動、または衝撃を感知するために使用される。一実施形態において、方向指示図６１０の可視性を決定するためにグリップ６０８は概ねシャフト６０６と同一方向に配向されるので、加速度計６５０はゴルフクラブ６００のグリップ６０８内に設置されてよい。更に具体的には、図６に示されたグリップ６０８内に設置された加速度計６５０はゴルフクラブ６００の配向を感知するのを補助してよい。ゴルフクラブ６００が所望方向に配向されるときに、加速度計６５０は方向指示図６１０の視認を可能にする。選択的に、ゴルフクラブ６００が所望方向に配向されるときに、加速度計６５０は方向指示図６１０の視認を不可能にする。更に具体的には、この実施形態の方向指示図６１０は、概ね、電気信号に基づいて可視性を変化させる偏光材料により構成されてよい。電気信号は加速度計６５０により提供でき、加速度計６５０は偏光方向指示図６１０をゴルフクラブ６００の配向に依存してオンオフする。
【００４３】
本発明の他の実施形態において、シャフト６０６の配向により、概ね、方向指示図６１０が見えるか否かが決定されるので、加速度計６５０はゴルフクラブ６００のシャフト６０６内に設置されてよい。最後に、本発明の他の実施形態において、所定ヘッド配向により、同様に、方向指示図が見えるか否が決定されるので、加速度計６５０はゴルフクラブ６００のヘッド６０２内に設置されてよい。図６に示された加速度計６５０は、本発明の範囲及び内容から逸脱することなくゴルフクラブ６００の配向を決定できれば、上記三カ所のいずれかもしくは全三カ所に、またはゴルフクラブ６００内の他の場所に設置されてよい。
【００４４】
図７は本発明の更に他の実施形態を示し、方向指示図７１０はゴルフクラブヘッド７０２のクラウン部７４０に付与されて、ゴルフクラブヘッド７０２と意図された通路７４２との整合を補助する。図７に示されたゴルフクラブヘッド７０２は、ゴルフクラブヘッド７０２の中心線と意図された通路７４２とが不整合に示されたように、意図された通路７４２から離れる方向を向いている。ゴルフクラブヘッド７０２の中心線７４４が意図された通路７４２と整合しないときには、方向指示図７１０は不整合をゴルファに知らせるために可視化する。方向指示図７１０は例示形態に示されたように文字に近似であっても、数字、記号、矢印、または本発明の範囲及び内容から逸脱しない不整合を表示できる他の形状であってもよい。図７は、ゴルフクラブヘッド７０２がオープン配向で示されるときに観察可能である方向指示図を示す。
【００４５】
図８は本発明の更に他の実施形態を示し、ゴルフクラブヘッド８０２はクローズ配向にある。ゴルフクラブヘッド８０２がクローズ位置にあるときに、ゴルフクラブヘッド８０２がオープン位置にあるときと同様に、中心線８４４は意図された通路８４２と概ね不整合である。ゴルフクラブヘッド８０２の中心線８４４が意図された通路８４２と整合していないときには、方向指示図８１０は可視となり、ゴルファに不整合を知らせる。方向指示図８１０は、例示形態に示されたように、例示形態に示されたように文字に近似であっても、数字、記号、矢印、または本発明の範囲及び内容から逸脱しない不整合を表示できる他の形状であってもよい。
【００４６】
図９を参照すると、ゴルフクラブヘッド９０２が意図された通路８４２と適正に整合し、図７及び８に示された方向指示図７１０及び８１０は消失している。ゴルフクラブヘッド９０２が適正に整合するときに、意図された通路９４２は中心線９４４上に重なり、ゴルフクラブヘッド９０２のクラウンはマーク表示から解放されている。一般的に、ゴルフクラブヘッド９０２が適正に整合するときに方向指示図７１０及び８１０は不可視であって、何らかの図形表示により生じる注意散漫を解消することが望ましい。
【００４７】
本発明の特定実施形態において、方向指示図７１０及び８１０は単にゴルフクラブ９００をワッグルするだけで不可視になるものであってよい。更に具体的には、ゴルフクラブヘッド９０２が加速度計のような信号発生装置により制御される図形を使用する場合には、方向指示図７１０及び８１０を形成する信号はゴルフクラブ９００のワッグルにより作動し、ワッグル等の特別命令により方向指示図７１０及び８１０を消失させる。
【００４８】
図７、８及び９において、ゴルフクラブヘッド７０２、８０１及び９０２は、ゴルフクラブヘッドのフェイス角度の変化を決定するために使用される。しかしながら、方向指示図７１０及び８１０は、本発明の範囲及び内容から逸脱しない方向指示図７１０及び８１０を利用して、同様に、ゴルフクラブヘッド７０２、８０１及び９０２のロフトのライ角またはロフト角の変化を決定するために使用されてよい。更に、ゴルフクラブヘッド７０２、８０１及び９０２が適正に整合するときに方向指示図７１０及び８１０は不可視であることが望ましいが、方向指示図７１０及び８１０はゴルフクラブヘッド７０２、８０１及び９０２が適正に整合するときにのみ、本発明の範囲及び内容から逸脱することなく、視認可能であってよい。
【００４９】
図１０は本発明の更に他の実施形態を示し、方向指示図１０１０はゴルフクラブのホーゼル１００４上に使用され、ホーゼル１００４と、調整可能ホーゼル１００４の種々の配向を確認するために概ね必要な種々のセッティングとの合致及び配向に役立つ。更に具体的には、方向指示図１０１０は、ホーゼル１００４及びゴルフクラブヘッド１００２を相互に組み合せて適当配置するときにのみオープン、クローズ、ニュウトラルである等所定の連結をベースにしたラベルを示すために使用できる。例えば、方向指示図１０１０は、ホーゼル１００４とゴルフクラブヘッド１００２とが連結されて、オープンフェイス角のゴルフクラブヘッド１００２が形成されるときに、オープンセッティングを示してよい。選択的に、方向指示図１０１０は、ホーゼル１００４とゴルフクラブヘッド１００２とが連結されて、クローズフェイス角のゴルフクラブヘッド１００２が形成されるときに、クローズセッティングを示してよい。
【００５０】
図１１は本発明の更に他の実施形態によるゴルフクラブ１１００の予想図を示す。アドレス位置で図１１に示されたゴルフクラブ１１００は、シャフト１１０６のボトムサイド１１５２からシャフト１１０６のトップサイド１１６０の差別化をより良くする。先行する図面に示されたように、方向指示図１１１０は、ゴルファの集中力を分散させないために、シャフト１１０６のボトムサイドからのみ視認可能であるのが望ましい。本発明の他の実施形態において、ゴルフクラブは加速度計１１５０を利用し調整可能ホーゼル１１０４を介してヘッド１１０２に対してシャフト１１０６の配向を認識できる。ヘッド１１０２に対するシャフト１１０６の配向が決定されたならば、シャフト１１０６のボトムサイド１１６２上でのみ観察できるが、他の場合には方向指示図１１１０が完全に不可視を維持するように、加速度計は電子信号を方向指示図１１１０に送る。この実施形態において、方向指示図１１１０は、純粋にゴルフクラブヘッド１１０２に対するシャフト１１０６の配向に基づいて決定され、かつ実際のゴルフクラブの配向とは関係なくシャフト１１０６のボトムサイド１１６２からコンスタントに視認可能である。
【００５１】
図１１は、ゴルフクラブ１１００のグリップエンドまたはシャフト１１０６の先端に加速度計１１５０を利用するゴルフクラブ１１００を示し、加速度計１１５０は、本発明の範囲及び内容から逸脱することなく、ゴルフクラブヘッド１１０２に対するシャフト１１０６の対応位置を決定できる限りゴルフクラブ１１０００内に任意場所に設置できる。加速度計１１５０を利用する代わりに、図１１に示されたゴルフクラブ１１００は、本発明の範囲及び内容から逸脱することなく、方向指示図１１００を起動することのみを目的としてゴルフクラブヘッド１１０２に対するシャフト１１０６の配向を決定するために、調整可能ホーゼル１１０４それ自体内に種々の連結センサを使用できる。当然ながら、図１１の図示形態において、シャフト１１０６は、ゴルフクラブヘッド１１０２に対するシャフト１１０６の関係位置に基づいて起動するシャフト１１０６のボトムサイド１１６２に適宜方向指示図１１１０を設けるためにのみ、シャフト１１０６の周辺に複数の方向指示図１１１０を有する必要がある。
【００５２】
本発明の更に他の実施形態において、上述のゴルフクラブは、本発明の範囲及び内容から逸脱することなく、複数の目的を達成するために一つまたはそれ以上を組み合わせた方向指示図を含んでよい。更に具体的には、整合補助器と同様に集中力を分散させないシャフト図形を考慮し、ゴルフクラブはシャフト及びヘッド上に方向指示図を含んでよい。選択的に、ゴルフクラブは、更に、ヘッドとホーゼルの整合の補助のため、また調整可能ホーゼルの種々のセッティングの確認を補助するために、ヘッド及びホーゼル上に方向指示図を含んでよい。最後に、ゴルフクラブは集中力を分散させないシャフト図形を考慮し、かつ本発明の範囲及び内容から逸脱することなく調整可能ホーゼルの種々のセッティングの確認を補助する方向指示図をシャフト及びホーゼル上に含んでよい。
【００５３】
図面に示された『GRAPHIC』の語はgraphicの各アルファベット文字に限定されることなく、本発明の範囲及び内容から逸脱することなく、概ね任意の種類の視覚的イラストに関する。更に具体的には、図面で使用された「GRAPHIC」は会社ロゴ、社名、製品ロゴ、製品名、図形表示、整列矢印、整列ロゴ、整列点、整列線、任意型の文字、任意型の数字、または本発明の範囲及び内容から逸脱することなく視覚的フィードバック(feedback)を提供する任意の視覚イラストに関する。
【００５４】
操作例以外、または特記しない限り、全ての数値範囲、量、値、及び材料の量、慣性モーメント、比重位置、ロフト角、ドラフト角、種々の性能比、及び明細書の続く箇所で使用されるその他の比率は、『約』の用語が数値、量または範囲に使用されていなくても『約』を前提として解読されてよい。従って、反対の説明がなくても続く明細書及び特許請求の範囲において説明される数値バラメータは本発明により求められている望ましい特性により変化する概算値である。非常に稀であり、均等論の特許請求の範囲への適用を制限する試みとしてではないが、各数値パラメータは報告された示差的アラビア数字の数値に照らした通常の丸め方を適用して解釈されるべきである。
【００５５】
本発明の広範囲に記載の数値範囲及びパラメータは概算値であるが、特定例において説明された数値は可能な限り精確に報告されている。しかしながら、任意数値は、それぞれの試験測定において知見される標準的偏差の必然的結果である所定誤差を潜在的に含む。更に、変化範囲の数値範囲が本明細書で説明されている場合には、引用された値を含む数値の任意組み合わせが使用できると予想されている。
【００５６】
理解されるように、当然ながら、上記説明は本発明の例示形態に関し、変更が続く特許請求の範囲に説明された発明の精神及び範囲から逸脱することなく行われ得る。
【符号の説明】
【００５７】
１００    ゴルフクラブ
１０２    ヘッド
１０４    フェルール
１０６    シャフト
１１０    方向指示図
４１１    図形パネル
４２０    凸状レンズ
５３１    透明流体室
５３２    スリーブ
６５０    加速度計
【図１】
2011056264.tif 000003
【図２】
2011056264.tif 000004
【図３】
2011056264.tif 000005
【図４】
2011056264.tif 000006
【図５Ａ】
2011056264.tif 000007
【図５Ｂ】
2011056264.tif 000008
【図５Ｃ】
2011056264.tif 000009
【図５Ｄ】
2011056264.tif 000010
【図６】
2011056264.tif 000011
【図７】
2011056264.tif 000012
【図８】
2011056264.tif 000013
【図９】
2011056264.tif 000014
【図１０】
2011056264.tif 000015
【図１１】
2011056264.tif 000016
【外国語明細書】
2011056264000001.pdf